(57)【要約】      （修正有）【課題】加熱と加圧部分を一体化した本体装置と予熱装置を組み合わせて、ハゼ実から木蝋を効率良く搾るための、小規模の木蝋搾り装置を提供する。【解決手段】ハゼ実からの木蝋搾りにおいて、上部解放、木製蓋１４付の肉厚鉄製丸底円筒容器１１の下部に蒸気導管１７に接続する蒸気入口と搾った木蝋の取出口の切替を行う、切替バルブ１８付共用鉄パイプを取付けた小規模木蝋搾り装置であって、事前にハゼ実を十分に加熱する予熱用加熱装置を、上部解放、木製蓋付の肉厚鉄製丸底円筒容器に、更に備えた。【選択図】図２
0003235553.tif 000002
【実用新案登録請求の範囲】
【請求項１】
ハゼ実からの木蝋搾りにおいて、蒸気加熱工程とジャッキによる加圧工程を、同一容器で行うことにより、作業工程を省力、効率化した小規模木蝋搾り装置。
【請求項２】
ハゼ実からの木蝋搾りにおいて、事前にハゼ実を十分に加熱し、木蝋搾りの回数増するために設けた、補助の予熱用加熱装置。（以下、予熱装置と表示する）
【請求項３】
請求項１及び請求項２の両装置を組合せた、ハゼの実からの木蝋搾りシステム。
【考案の詳細な説明】
【技術分野】
【０００１】  本考案は、ハゼ実からの木蝋搾りにおいて、別に予熱装置を設置し、更に追加の加熱工程と搾りの加圧工程を同一容器で行う木蝋搾り装置により、効率良く、木蝋搾りを実施する方法に関する。
【背景技術】
【０００２】  従来、ハゼ実から木蝋を搾る装置は、原理的にはハゼ実を加熱し、さらに加圧すれば、ハゼ実中の一定量の木蝋が搾れることから、歴史的には江戸時代の初期の頃からある。
江戸時代のものは、蒸篭（せいろ）で蒸したハゼ実に楔（くさび）を打ち込み圧力を加える、横木式（通称、地獄絞り）及び立木式（通称、鳥居絞り）がある。人力のため、低効率あり、また重労働であるため現在は使用されていない。
現在でも使用されているのは、（Ａ）動力を用いる水圧式（通称玉締式）および（Ｂ）有機溶媒を使用する溶媒抽出式の２方式がある。（Ａ）の水圧式は一回の搾りに比較的大量のハゼ実（約１５ｋｇ）を使用する。動力を使用し高圧力で搾るため、装置の重量が数トンになる鉄製の頑丈な装置になっている。また、本格的、加熱用のボイラー（横置コールニッシュ式等）を使用するので、熟練した技術や資格及び高額な設置費用が必要である。（Ｂ）の溶媒抽出法は上記の水圧式より、多量のハゼ実の処理が可能であるが、さらに、装置は大型化、複雑化している。また、水圧式同様、大型の加熱用ボイラー使用するので、熟練した技術や資格及び高額な設置費用が必要である。また、ノルマルヘキサン等の有機溶媒を用いるため、産業衛生上の問題もある。
昭和２３年４月には全国に１７７社あった木蝋製造工場は、現在、（Ａ）方式は観光および和ろうそく等の製造目的として２社程度、また、（Ｂ）方式も高級化粧品製造および輸出用目的として２社程度である。また、新設の（Ａ）および（Ｂ）の装置を製造する会社は見当たらない。
併せて、社会的背景からハゼ木と木蝋の現状を見た場合、木蝋業の衰退に従い、ハゼ木が伐採されるのが多く見られる。また伐採を逃れたハゼ木の実も、鳥の餌や地上に落下して、朽ち果て、有効に利用されていない。木蝋は和ろうそくや整髪料（鬢付け油）等の原料された長い歴史があり、地域の文化遺産であるが、消滅の危機に瀕している。
このような状況から、少量でも、木蝋を生産して、和ろうそく作りの体験学習等を催し、地域のハゼ実と木蝋の歴史を、子供達に伝え、後世に残す努力が必要であると考えている。
【先行技術文献】
【非特許文献】
【０００４】
【非特許文献１】「正木八十八、日本の櫨と木蝋、明文堂」１９３８年  ｐ４７
【非特許文献２】「日本木蝋協会東京事務所  木蝋製造工場名簿」１９４８年４月
【非特許文献３】「化学大辞典編集委員会  化学大辞典９  共立出版株式会社」１９６６年  ｐ２７４
【非特許文献４】「海南市立歴史民俗資料館展示解説集  第１０集  あかりとくらし」１９９１年  ｐ２５−３８
【非特許文献５】「福岡県・福岡県特用林産振興会  ハゼと木蝋」１９９２年  ｐ４７
【非特許文献６】「日本特用林産振興会  Ｊａｐａｎ  Ｗａｘ」２００５年  ｐ２３，２９
【考案の概要】
【考案が解決しようとする課題】
【０００５】  本考案では、前述の（Ａ）の水圧式の原理、加熱と加圧を基本としている。しかし、従来の水圧式の装置には、圧力用のモーターの動力や加熱用の本格的ボイラーが必要であり、操作にも資格や熟練の技術を必要とする。現在、本装置は全国に２社程度、観光や和ろうそく等の製造目的として稼働しているが、その他、廃業等で不要になった装置は散逸し、一部の装置のみが、僅かに博物館等に収蔵されている。この様な状況から、当該装置を整備して個人的に稼働させることは困難である。
そこで、小規模で、効率良く、安全にハゼ実から木蝋を搾る方法を確立するため、ハゼ実の加熱に、予熱装置を組合せ、簡易ボイラー（労働安全衛生法準拠）の蒸気による二重加熱を検討する。さらに、加熱後のハゼ実の加圧には、市販の油圧ジャッキ使用し、簡易圧力計で加圧を制御して、従来の水圧式の装置の欠点を解決しようとするものである。
【課題を解決するための手段】
【０００６】  木蝋搾り装置で使用するハゼ実は、搾り容器の容量から２ｋｇとする。ハゼ実は少量であるが、新たに、予熱装置を組み合わせることにより、単位時間当たりの蝋搾り回数を増して効率化する。予熱装置及び本装置の加熱は薪を利用した簡易ボイラーの蒸気を使用する。
最終加熱は搾り容器の中で行うため、加熱終了後に、ハゼ実を移動することなく、油圧ジャッキを用いた加圧方式で木蝋を搾ることが出来る。上質のハゼ実の場合、２ｋｇのハゼ実から約２５０ｇの木蝋を搾ることが出来る。１０匁（３７．５ｇ）和ろうそく約６本を作製出来る量である。提案の、ハゼ実から木蝋を搾る工程は、電力や化石燃料は使用せず、また、バイオマスである、薪を蒸気発生のエネルギーとしているため、自然環境に配慮した無公害の木蝋搾り装置およびシステムになっている。
更に、加圧により木蝋搾り装置の上下に圧力が加わるため、マイクロスイッチ、ＬＥＤ（赤）および電池から構成した、簡易圧力感知器を本装置の上部に取り付ける。これにより、本装置の上下の歪みを検知し、加圧を調整しながら安全に木蝋搾りを行うことができる。
【考案の効果】
【０００７】  予熱装置を組合せて、木蝋搾り装置本体での加熱と加圧を同一容器内で行うことにより、連続的に操作が可能になり、能率が向上している。また、装置全体が小規模で省力化されているため、全体の操作を一人で実施出来る利点がある。
【図面の簡単な説明】
【０００８】
【図１】予熱装置の正面図
【図２】本体の木蝋搾り装置（加熱工程）の正面図
【図３】本体の木蝋搾り装置（搾り工程）の正面図
【考案を実施するための形態】
【０００９】  木蝋搾りを実施するためには、次の工程が必要である  ▲１▼ハゼ実の調達（ハゼ実ちぎり）  ▲２▼ハゼ実だけを選別する  ▲３▼選別したハゼ実の粉砕  ▲４▼粉砕したハゼ実を細目の網袋へ２Ｋｇ量り取る  ▲５▼ハゼ実２Ｋｇ（網袋入り）を予熱装置でハゼ実が１００℃になるまで蒸気加熱する。（この工程から以下の工程、▲５▼〜▲８▼が、本考案の装置の工程になる）  ▲６▼加熱したハゼ実を、予熱装置より木蝋搾り装置へ移し、更に１００℃以上の状態で３０分〜６０分程度蒸気加熱する  ▲７▼加熱終了後、油圧ジャッキにより加熱したハゼ実を加圧して木蝋を搾る  ▲８▼木蝋受け容器より、液体状の木蝋を蝋皿へ注ぎ、固形に固める。この固まった木蝋が製品である。
固形に固めた木蝋の融点は、約５２℃、成分はパルミチン酸７７％を主成分とする高級脂肪酸のグリセリドである。その他、特徴的成分として粘靭性のある日本酸６％がある。用途は和ろうそく、整髪料（びん付油、ポマード）、艶出し剤、医薬品、サイジング等である。
【実施例】  以下、添付図面に従って、上述の木蝋搾り工程▲５▼〜▲８▼を説明する。【００１０】    図１の予熱装置の説明
まず、粉砕したハゼ実を網袋に２ｋｇ量り取り、その網袋入りハゼ実（以下、Ｆハゼ実３と表す）を予熱装置１の架台２へセットする。さらに、ゴムシート張り予熱装置の木製蓋４の中心の穴を通して、サーミスター温度計５をＦハゼ実３の中心に入れる。次に、Ａ簡易ボイラー７で発生させた蒸気を導管９により、予熱装置１に導入し、Ｕ字管圧力計８で一定の蒸気圧（水柱圧約３０〜５０ｍｍ）を確認しながら、Ｆハゼ実３を１００℃まで加熱する。
ドインは、適宜、ストップバルブ１０で抜く。【００１１】  図２の木蝋搾り装置（加熱工程）の説明
木蝋を搾る肉厚鉄製容器１１は、あらかじめ、Ｂ簡易ボイラー１９で発生させた蒸気を導管１７により、肉厚鉄製容器１１に導入し、同容器が７０℃以上であることを保温確認用サーミスター温度計１６で確認し、次に図１の予熱装置１より、１００℃に加熱したＦハゼ実３を木蝋搾り装置の容器１１に、速やかに移し替える。更に、木製の蓋１４の中心の穴から、蒸気調節用麻袋を通して、サーミスター温度計１５をＦハゼ実３の中心に入れ、次に、ストップバルブ１８を閉じて、Ｂ簡易ボイラー１９の蒸気で、Ｆハゼ実３の温度を１００℃に維持して、更に３０分〜６０分程度、十分に加熱する。【００１２】  図３の木蝋搾り装置（搾り工程）の説明
上述のＦハゼ実３の加熱終了後、木蝋受け容器２３の上部のストップバルブ１８を開く。次に、木蝋搾り容器１１のサーミスター温度計１５、麻袋１３および木製蓋１４を外した後、押さえ丸太２１と油圧ジャッキ２２を設置して、油圧ジャッキ２２の加圧により木蝋搾りを行う。搾った液体の木蝋は、木蝋受け容器２３に溜まるので、蝋皿に注ぎ固める。もし、木蝋受け容器２３中の木蝋が固まった場合は、容器中の木蝋を湯煎で溶かして、蝋皿に注ぎ固める。
【符号の説明】
【００１３】１      予熱装置
２      架台（すのこ式）
３      Ｆハゼ実
４      ゴムシート張り予熱装置の木製蓋
５      予熱装置用サーミスター温度計（−１０〜２００℃）
６      予熱装置内の圧力測定用のＵ字管圧力計（水柱高約３０〜５０ｍｍ）
７      Ａ簡易ボイラー（労働安全衛生法準拠）
８      Ａ簡易ボイラー発生の蒸気圧力測定用のＵ字管圧力計（水柱高０〜２００ｍｍ）
９      蒸気導管
１０    ストップバルブ
１１    木蝋搾り容器（肉厚鉄製）
１２    木蝋流し架台
１３    蒸気調節用麻袋
１４    木蝋搾り容器の木製蓋
１５    木蝋搾り用サーミスター温度計（−１０〜２００℃）
１６    木蝋搾り容器（肉厚鉄製）の保温確認用サーミスター温度計（−１０〜２００℃）
１７    蒸気導管
１８    ストップバルブ
１９    Ｂ簡易ボイラー（労働安全衛生法準拠）
２０    Ｂ簡易ボイラー発生の蒸気圧力測定用のＵ字管圧力計（水柱高０〜２００ｍｍ）
２１    木蝋搾り用丸太
２２    木蝋搾り用ジャッキ（Ｃａｐａｃｉｔｙ  ２０ｔｏｎ）
２３    木蝋受け容器
２４    木蝋搾り装置補強用金具（長尺ボルト）
２４ａ  木蝋搾り装置補強用金具（長尺ボルト）
２５    木蝋搾り装置補強用金具（Ｌ字金板）
２５ａ  木蝋搾り装置補強用金具（Ｌ字金板）
２６    簡易圧力感知装置（マイクロスイッチ、ＬＥＤ（赤）および電池で構成）
【図１】
0003235553.tif 000003
【図２】
0003235553.tif 000004
【図３】
0003235553.tif 000005
【手続補正書】
【提出日】令和3年9月16日(2021.9.16)
【手続補正１】
【補正対象書類名】実用新案登録請求の範囲
【補正対象項目名】全文
【補正方法】変更
【補正の内容】
【実用新案登録請求の範囲】
【請求項１】
ハゼ実からの木蝋搾りにおいて、上部解放、木製蓋付の肉厚鉄製丸底円筒容器の下部に蒸気入口と搾った木蝋の取出口の切替を行う、切替バルブ付共用鉄パイプを取付けた特徴とする小規模木蝋搾り装置。
【請求項２】
ハゼ実からの木蝋搾りにおいて、事前にハゼ実を十分に加熱する予熱用加熱装置を、前記上部解放、木製蓋付の肉厚鉄製丸底円筒容器に、更に備えたことを特徴とする請求項１に記載の小規模木蝋搾り装置。
【手続補正２】
【補正対象書類名】明細書
【補正対象項目名】００１０
【補正方法】変更
【補正の内容】
【００１０】    図１の予熱装置の説明
まず、粉砕したハゼ実を網袋に２ｋｇ量り取り、その網袋入りハゼ実（以下、Ｆハゼ実３と表す）を予熱装置１の架台２へセットする。さらに、ゴムシート張り予熱装置の木製蓋４の中心の穴を通して、サーミスター温度計５をＦハゼ実３の中心に入れる。次に、Ａ簡易ボイラー７で発生させた蒸気を導管９により、予熱装置１に導入し、Ｕ字管圧力計８で一定の蒸気圧（水柱圧約３０〜５０ｍｍ）を確認しながら、Ｆハゼ実３を１００℃まで加熱する。
ドレインは、適宜、ストップバルブ１０で抜く。